(57)【要約】【課題】見込み方向において所望の位置に配置することが可能な枠体を有する建具を提供する。【解決手段】外壁に形成された開口部に取り付けられる枠体と、前記枠体の外周面に貼り付けられる枠体貼付部、及び、前記枠体貼付部と繋がり前記外周面と交差する方向に折り曲げられて前記外壁に設けられた防水層に貼り付けられる外壁貼付部を備え可撓性を有する枠側防水シートと、を有する。【選択図】図４
2018199901.tif 000002
【特許請求の範囲】
【請求項１】
外壁に形成された開口部に取り付けられる枠体と、
前記枠体の外周面に貼り付けられる枠体貼付部、及び、前記枠体貼付部と繋がり前記外周面と交差する方向に折り曲げられて前記外壁に設けられた防水層に貼り付けられる外壁貼付部を備え可撓性を有する枠側防水シートと、
を有することを特徴とする建具。
【請求項２】
請求項１に記載の建具であって、
前記開口部及び前記枠体は矩形状をなし、
前記枠体貼付部は、前記枠体の全周に亘って設けられており、
前記外壁貼付部は、前記枠体の前記外周面をなす平面毎に設けられていることを特徴とする建具。
【請求項３】
請求項２に記載の建具であって、
前記枠体の、互いに隣接する２つの前記平面に亘って貼り付けられる外周面連結貼付部と、前記隣接する２つの前記平面に各々設けられている前記外壁貼付部に亘って貼り付けられる外壁連結貼付部と、を有し、
前記外周面連結貼付部と前記外壁連結貼付部とが繋がったコーナー部材を有していることを特徴とする建具。
【請求項４】
請求項３に記載の建具であって、
前記外壁は、前記防水層と躯体との間に断熱材を有しており、
前記コーナー部材は、前記外壁連結貼付部と見込み方向に間隔を空けて設けられ前記躯体に当接される躯体当接部を有し、
前記外壁連結貼付部と前記躯体当接部との間には、前記断熱材が介装可能であることを特徴とする建具。
【請求項５】
請求項４に記載の建具であって、
前記コーナー部材は、前記躯体当接部の前記外壁連結貼付部と反対側に目盛りを備えていることを特徴とする建具。
【発明の詳細な説明】
【技術分野】
【０００１】
本発明は、外壁の開口部に取り付けられる枠体を有する建具に関する。
【背景技術】
【０００２】
外壁の開口部に取り付けられる枠体を有する建具としては、例えば、室内側障子及び室外側障子と建具枠（枠体）とを備えた引違サッシ用の建具が知られている（例えば、特許文献１参照）。このような建具の枠体は、室内側障子及び室外側障子がスライド可能に支持される障子支持部と、障子支持部の外縁部全周に沿って設けられ建物の躯体にネジにて取り付けられるフィン（固定片部）と、を備えている。また、建物の開口部に取り付けられた枠体は、フィンと外壁におけるフィン近傍の部分とを一体に被覆するように室外側から防水テープが貼り付けられ、その上に透湿防水シートが貼り付けられている。
【先行技術文献】
【特許文献】
【０００３】
【特許文献１】特開２０１６−１１８０４３号公報
【発明の概要】
【発明が解決しようとする課題】
【０００４】
上記のような建具は、躯体の室外側に設けけられる透湿防水シートが防水層をなしており、枠体のフィンと躯体側の一部とを一体に被覆して貼り付けられている防水テープと透湿防水シートとを重ねることにより建物の開口部の防水性が確保されている。このため、枠体が備えるフィンと躯体側の透湿防水シートとの見込み方向における位置が一致するように枠体が配置されている。このとき、フィンは枠体に一体に設けられているので、枠体の見込み方向における位置は、フィンの位置により決められてしまう。このため、躯体の室外側に設けられる外装壁材や胴縁の見込み方向における厚みが、互いに相違する建物に同一の枠体を取り付けた場合には、設計した納まりと相違し意匠性が損なわれてしまう虞がある。
【０００５】
本発明は、かかる課題に鑑みてなされたものであり、その目的とするところは、防水性を確保しつつも見込み方向における所望の位置に配置することが可能な枠体を有する建具を提供することにある。
【課題を解決するための手段】
【０００６】
かかる目的を達成するために本発明の建具は、外壁に形成された開口部に取り付けられる枠体と、前記枠体の外周面に貼り付けられる枠体貼付部、及び、前記枠体貼付部と繋がり前記外周面と交差する方向に折り曲げられて前記外壁に設けられた防水層に貼り付けられる外壁貼付部を備え可撓性を有する枠側防水シートと、を有することを特徴とする建具である。
【０００７】
このような建具によれば、枠体貼付部が枠体の外周面に貼り付けられる枠側防水シートは、可撓性を有しており、外壁に設けられた防水層に貼り付けられる外壁貼付部は、枠体貼付部と繋がって外周面と交差する方向に折り曲げられているので、枠体の外周面の見込み方向における任意の位置に外壁貼付部を設けることが可能である。このため、躯体側の防水層に対し見込み方向における所望の位置に枠体が配置されるように枠側防水シートを枠体に貼り付けた後、折り曲げることにより、躯体に対して所望の位置に枠体を配置することが可能である。すなわち、防水性を確保しつつも見込み方向における所望の位置に枠体を配置することが可能である。
【０００８】
かかる建具であって、前記開口部及び前記枠体は矩形状をなし、前記枠体貼付部は、前記枠体の全周に亘って設けられており、前記外壁貼付部は、前記枠体の前記外周面をなす平面毎に設けられていることが望ましい。
【０００９】
このような建具によれば、外壁貼付部は、枠体の外周面を形成する平面毎に設けられているので、各平面の全長に亘り、外周面と所定の角度をなすように折り曲げることが可能である。このため、各外壁貼付部を全面で対面させて防水層に貼り付けることが可能であり、高い防水性を確保することが可能である。また、枠体貼付部は、枠体の全周に亘って設けられているので、枠体の外周面に巻き付けるように貼り付けて取り付けられるので、施工性に優れている。
【００１０】
かかる建具であって、前記枠体の、互いに隣接する２つの前記平面に亘って貼り付けられる外周面連結貼付部と、前記隣接する２つの前記平面に各々設けられている前記外壁貼付部に亘って貼り付けられる外壁連結貼付部と、を有し、前記外周面連結貼付部と前記外壁連結貼付部とが繋がったコーナー部材を有していることが望ましい。
【００１１】
このような建具によれば、枠体の、互いに隣接する２つの平面に亘って貼り付けられる外周面連結貼付部と、隣接する２つの平面を形成する外周面に設けられている外壁貼付部に亘って貼り付けられる外壁連結貼付部とが繋がったコーナー部材を有しているので、互いに隣接する２つの平面に各々設けられている外壁貼付部の間においても高い防水性を備えることが可能である。
【００１２】
かかる建具であって、前記外壁は、前記防水層と躯体との間に断熱材を有しており、前記コーナー部材は、前記外壁連結貼付部と見込み方向に間隔を空けて設けられ前記躯体に当接される躯体当接部を有し、前記外壁貼付部と前記躯体当接部との間には、前記断熱材が介装可能であることが望ましい。
【００１３】
このような建具によれば、コーナー部材は、外壁連結貼付部と見込み方向に、断熱材が介装可能な間隔を空けて設けられ躯体に当接される躯体当接部を備えているので、躯体当接部を躯体に当接させることにより、外壁連結貼付部と躯体との間に断熱材を備える空間を形成するとともに、外壁連結貼付部と防水層との位置を合わせて枠体を配置することが可能である。このため、より施工性に優れた建具を提供することが可能である。
【００１４】
かかる建具であって、前記コーナー部材は、前記躯体当接部の前記外壁連結貼付部と反対側に目盛りを備えていることが望ましい。
このような建具によれば、躯体当接部の外壁連結貼付部と反対側に備えられた目盛りにより、枠体単体の状態で、枠体とコーナー部材及び枠側防水シートの外壁貼付部との位置を所望の設計値に配置することが可能である。このため、より施工性に優れた建具を締供することが可能である。
【発明の効果】
【００１５】
本発明によれば、防水性を確保しつつも見込み方向における所望の位置に配置することが可能な枠体を有する建具を提供することが可能である。
【図面の簡単な説明】
【００１６】
【図１】本実施形態に係る建具を示す縦断面図である。
【図２】本実施形態に係る建具を示す横断面図である。
【図３】枠体の納まりを説明する縦断面図である。
【図４】枠側防水シートとコーナー部材が設けられた枠体を示す斜視図である。
【図５】枠体に枠側防水シート及びコーナー部材を取り付ける手順を示す図である。
【図６】コーナー部材の位置決めを説明するための側面図である。
【図７】枠体を躯体に取り付ける手順を示す図である。
【発明を実施するための形態】
【００１７】
以下、本発明の一実施形態に係る建具について図面を参照して説明する。
本実施形態の建具として、例えば、スライド可能な障子２が設けられた引き違い窓用の建具１を例に挙げて説明する。
【００１８】
以下の説明においては、建物等に取り付けられた状態の建具１を室外側から見たときに、上下となる方向を上下方向、左右となる方向を左右方向、室内外方向である奥行き方向を見込み方向として示す。建具１の各部位であっても、また、建具１を構成する各部材については単体の状態であっても、建物等に取り付けられた状態にて上下方向、左右方向、見込み方向となる方向にて方向を特定して説明する。
【００１９】
図１、図２に示すように、建具１は、障子２をスライド可能に支持する枠体３が、合成樹脂製の押出成形材でなる４本の枠材３０を接合して矩形状に形成されている。４本の枠材３０は、同一の部材を適宜切断して形成され、隣り合う枠材３０の端部同士が溶着されて枠組みされている。
【００２０】
矩形状の枠組みされた枠体３の外周面３ａはいずれも、見込み方向に沿う平面をなしている。図３に示すように、枠体３の室内側に臨む面３ｂには、外周縁から間隔を空けた位置に、枠体３を躯体４に固定するための固定部材５が係合される係合溝３ｃが長手方向に沿って設けられている。
【００２１】
枠体３の外周面３ａには、可撓性を有し両面に粘着層を備えた合成樹脂製の枠側防水シート６が貼り付けられている。枠側防水シート６は、見込み方向において室内側の部分（以下、シート室内部という）６ａが枠体３の外周面３ａに枠体３を囲むように全周に繋がって貼り付けられ、室外側の部分（以下、シート室外部という）６ｂは、枠体３の角部３ｄに沿って切り込みが設けられており枠材３０の外周面３ａがなす平面毎に分離されている。ここで、シート室内部６ａが枠体貼付部に相当し、シート室外部６ｂが外壁貼付部に相当する。
【００２２】
枠材３０毎に分離されたシート室外部６ｂは、各枠材３０の外周面３ａとほぼ直交する方向に、シート室内部６ａとシート室外部６ｂとの境界部分にて曲げ起こされている。このため、互いに隣り合う枠材３０の外周面３ａがなす各平面に貼り付けられて曲げ起こされたシート室外部６ｂは、互いに離れている。
【００２３】
図４に示すように、枠側防水シート６が貼り付けられた枠体３の各角部３ｄには、互いに隣り合い離れているシート室外部６ｂ間を繋ぐように配置されるコーナー部材７が設けられている。コーナー部材７は、枠側防水シート６と同じく軟質の合成樹脂により形成されている。
【００２４】
コーナー部材７は、枠側防水シート６が貼り付けられた枠体３の角部３ｄに貼り付けられる外周面連結貼付部７ａ、及び、互いに隣り合う枠材３０の各外周面３ａに曲げ起こされているシート室外部６ｂ間に亘って貼り付けられる外壁連結貼付部７ｂが一体に形成されたコーナー本体部７ｃと、当該コーナー部材７を枠体３に対して位置決めする位置決め部材８と、を有している。
【００２５】
外周面連結貼付部７ａは、互いに隣り合う枠材３０の各外周面３ａがなす各平面に亘って貼り付けられる板部が直角をなすように形成されており、外壁連結貼付部７ｂとともに一体成形されている。すなわち、外周面連結貼付部７ａが、枠側防水シート６が貼り付けられた枠体３の角部３ｄに貼り付けられると、外周面連結貼付部７ａが貼り付けられている２つの枠材３０の外周面３ａと直交する外壁連結貼付部７ｂが枠体３の外周側に突出するように形成されている。
【００２６】
位置決め部材８は、コーナー部材７の外周面連結貼付部７ａの一方の板部に、見込み方向に沿って取り付けられる部材であり、見込み方向に長い長方形状の板状をなす本体板部８ａと、本体板部８ａの長手方向における両端のいずれとも離れた位置から外周面連結貼付部７ａと反対側に突出された躯体当接部としての突出板部８ｂと、を有している。突出板部８ｂは、本体板部８ａの室外側の端から突出板部８ｂの室内側の面８ｃまでの幅が、躯体４の室外側に設けられる断熱材９の厚みと同じ幅に形成されている。また、本体板部８ａには、突出板部８ｂの室内側に目盛り８ｄが設けられている。目盛り８ｄは、突出板部８ｂの室内側の面８ｃの位置に、枠体３の外周面３ａの見込み方向の幅を示す値の目盛り８ｄが配置され、室内側に向かって目盛り８ｄが示す数が小さくなるように設けられている。
【００２７】
建具１は、室内側から内装壁材１０、躯体４、断熱材９、躯体防水層をなす透湿防水シート１１、胴縁１２、外装壁材１３が順に設けられた外壁１４に設けられた矩形状の建物の開口部１４ａに設けられている。開口部１４ａは、枠体３の外形寸法とほぼ同じまたは枠体３の外形寸法より僅かに大きく形成されている。
【００２８】
枠体３は、枠側防水シート６及びコーナー部材７が取り付けられた状態で、コーナー部材７の突出板部８ｂが躯体４の室外側の面をなす構造用合板４ｄに当接されて位置決めされ、構造用合板４ｄの室外側に設けられた断熱材９と透湿防水シート１１との間に、コーナー部材７の外壁連結貼付部７ｂと枠側防水シート６のシート室外部６ｂとが介在され、透湿防水シート１１が断熱材９と外壁連結貼付部７ｂ及びシート室外部６ｂとに亘るように貼り付けられている。
【００２９】
本実施形態の建具１の施工方法について説明する。
図５に示すように、まず、矩形状の枠組みされた枠体３の外周面３ａに、一方の面の粘着層が保護シートにより覆われた枠側防水シート６を枠体３の全周に亘って貼り付ける。このとき、枠側防水シート６の室内側の縁と枠体３の外周面３ａの室内側の縁とが一致するように枠側防水シート６を貼り付ける。
【００３０】
次に、枠体３に貼り付けられた枠側防水シート６の外周側の保護シートを剥がし、４つの角部３ｄにコーナー部材７を取り付ける。このとき、コーナー部材７の突出板部８ｂの室内側の面８ｃが、躯体４が備える構造用合板４ｄの室外側の面の位置に配置されるようにコーナー部材７を位置決めして配置する。
【００３１】
詳述すると、施工後の突出板部８ｂの室内側の面８ｃより室外側には、断熱材９、外壁連結貼付部７ｂ、シート室外部６ｂ、透湿防水シート１１、胴縁１２、外装壁材１３が配置される。これらのうち、断熱材９、外壁連結貼付部７ｂ、シート室外部６ｂ、透湿防水シート１１の厚みｔ３及び散り３ｅの寸法ｔ２は、施工現場に拘わらず一定であり、胴縁１２及び外装壁材１３の寸法ｔ４は施工現場すなわち建物により相違する。
【００３２】
そこで、本実施形態の目盛り８ｄは、施工現場に合わせた胴縁１２及び外装壁材１３の寸法ｔ４が、枠体３の外周面３ａにおける室内側の縁の位置が指す目盛りの値により示されるように構成されている。
【００３３】
本実施形態のコーナー部材７の目盛り８ｄは、突出板部８ｂの室内側の面８ｃの位置が、室内側の縁の位置に合わせられたときに、突出板部８ｂの室内側の面８ｃが、枠体３の外周面３ａの見込み方向の幅Ｗ１から、断熱材９、外壁連結貼付部７ｂ、シート室外部６ｂ、透湿防水シート１１の厚みｔ３及び散り３ｅの寸法ｔ２を減じた値（Ｗ１−ｔ２−ｔ３）を指すように設定されている。そして、図６に示すように、コーナー部材７を室外側に移動すると、移動した分だけ、枠体３の室内側の縁の位置が指す目盛りの値が小さくなるように設定されている。
【００３４】
このため、施工現場における胴縁１２及び外装壁材１３の寸法ｔ４の数値を指す目盛り８ｄに、枠体３の外周面３ａにおける室内側の縁の位置を合わせてコーナー部材７を貼り付けることにより、コーナー部材７の突出板部８ｂの室内側の面８ｃが、躯体４が備える構造用合板４ｄの室外側の面の位置に配置される。
【００３５】
枠体３の４つの角部３ｄに、上記のように位置決めしてコーナー部材７を取り付けた後に、枠側防水シート６の角部に相当する部位に見込み方向に沿ってコーナー部材７より室外側の部位に切り込みを入れ、枠側防水シート６の外周側の部位を枠材３０の外周面３ａがなす平面毎に切り離す。枠体３の周方向において切り離された部分がシート室外部６ｂとなる。
【００３６】
次に、切り込みを入れた枠側防水シート６を枠体３の外周面３ａ側から、当該外周面３ａとほぼ直交するように曲げ起こし、曲げ起こした各シート室外部６ｂの両端部をコーナー部材７の外壁連結貼付部７ｂに貼り付ける。この状態で、枠体３の外周面３ａには、全周に亘って枠側防水シート６のシート室内部６ａと繋がって貼り付けられており、シート室外部６ｂとコーナー部材７の外壁連結貼付部７ｂとは、外周面３ａとほぼ直交する状態で全周に亘って繋がっている。
【００３７】
次に、枠体３の室内側の係合溝３ｃに、枠体３の周方向において適宜間隔を空けて金属製の固定部材５を係合し、枠体３の係合溝３ｃより縁側にてビス止めする。固定部材５は、図３に示すように、板状の枠固定部５ａと板状の躯体固定部５ｂとが直角に繋がったＬ字状の部材であり、枠固定部５ａの先端に係合溝３ｃとの係合片５ｃが設けられている。固定部材５は、係合片５ｃが係合溝３ｃに係合されて枠固定部５ａがビス止めされると、躯体固定部５ｂが枠体３の外周面３ａとほぼ同一平面を形成する。ここで、固定部材５は、枠側防水シート６とコーナー部材７とが貼り付けられる前に取り付けられていても構わない。
【００３８】
次に、図７に示すように、枠側防水シート６とコーナー部材７とが貼り付けられた枠体３を開口部１４ａに挿入して突出板部８ｂを構造用合板４ｄに当接させ、枠体３の室内側に突出する躯体固定部５ｂを躯体４にビス止めする。このとき、構造用合板４ｄとシート室外部６ｂ及び外壁連結貼付部７ｂとの間には、これらの間に設けられる断熱材９の厚み分の間隔が空けられている。
【００３９】
次に、構造用合板４ｄの室外側に断熱材９を備える。このとき、構造用合板４ｄとシート室外部６ｂ及び外壁連結貼付部７ｂとの間にも断熱材９を、枠体３の外周を囲むように配置する。断熱材９を備えた後に、枠側防水シート６のシート室外部６ｂを断熱材９に貼り付ける。その後、断熱材９とシート室外部６ｂ及び外壁連結貼付部７ｂとに亘るように透湿防水シート１１を貼り付け、胴縁１２及び外装壁材１３を施工する。
最後に、枠体３の外周面３ａと外装壁材１３との間をシールして施工が完了する。
【００４０】
本実施形態の建具１によれば、シート室内部６ａが枠体３の外周面３ａに貼り付けられる枠側防水シート６は、可撓性を有しており、外壁１４に設けられた透湿防水シート１１に貼り付けられるシート室外部６ｂは、シート室内部６ａと繋がって外周面３ａと交差する方向に折り曲げられているので、枠体３の外周面３ａの見込み方向における任意の位置にシート室外部６ｂを設けることが可能である。このため、躯体４側の防水層をなす透湿防水シート１１に対し見込み方向における所望の位置に枠体３が配置されるように枠側防水シート６を折り曲げて枠体３に貼り付けることにより、躯体４に対する所望の位置に枠体３を配置することが可能である。すなわち、防水性を確保しつつも見込み方向における所望の位置に枠体３を配置することが可能である。
【００４１】
また、シート室外部６ｂは、枠体３を構成する枠材３０毎の外周面３ａをなす平面毎に設けられているので、各平面の全長に亘り当該平面と所定の角度をなすように折り曲げることが可能である。このため、各外壁貼付部６ｂを全面で対面させて透湿防水シート１１に貼り付けることが可能であり、高い防水性を確保することが可能である。また、枠体貼付部６ａは、枠体３の全周に亘って設けられているので、枠体３の外周面３ａに巻き付けるように貼り付けて取り付けられるので、施工性に優れている。
【００４２】
また、枠体３の、互いに隣接する２つの枠材３０の外周面３ａに亘って貼り付けられる外周面連結貼付部７ａと、隣接する２つの枠材３０の外周面３ａがなす平面毎に設けられているシート室外部６ｂに亘って貼り付けられる外壁連結貼付部７ｂとが繋がったコーナー部材７を有しているので、互いに隣接する２つの枠材３０の外周面３ａ毎に設けられているシート室外部６ｂの間においても高い防水性を備えることが可能である。
【００４３】
また、コーナー部材７は、外壁連結貼付部７ｂと見込み方向に、断熱材９が介装可能な間隔を空けて設けられ躯体４に当接される躯体当接部８ｂを備えているので、躯体当接部８ｂを躯体４に当接させることにより、外壁連結貼付部７ｂと躯体４との間に断熱材９を備える空間を形成するとともに、外壁連結貼付部７ｂと透湿防水シート１１との位置を合わせて枠体３を配置することが可能である。このため、より施工性に優れた建具１を提供することが可能である。
【００４４】
また、突出板部８ｂの外壁連結貼付部７ｂと反対側に備えられた目盛り８ｄにより、枠体３単体の状態であっても、枠体３とコーナー部材７及び枠側防水シート６のシート室外部６ｂとを所望の位置に配置することが可能である。このため、より施工性に優れた建具１を提供することが可能である。
【００４５】
本実施形態においては、コーナー部材７の貼り付け位置を、コーナー部材７の外壁連結貼付部７ｂより室内側に設けられた目盛り８ｄを読み取ることにより認知することとした。このため、目盛り８ｄが取り付けられたままの枠体３を躯体４に取り付けたとしても、施工後に目盛り８ｄが室外側に露出しない。このため、意匠性に優れるとともに施工性にも優れた建具１を提供することが可能である。
【００４６】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４７】
１  建具、３  枠体、３ａ  外周面、４  躯体、４ｄ  構造用合板、
６  枠側防水シート、６ａ  シート室内部、６ｂ  シート室外部、
７  コーナー部材、７ａ  外周面連結貼付部、７ｂ  外壁連結貼付部、
８  位置決め部材、８ｂ  突出板部、９  断熱材、１１  透湿防水シート、
１４  外壁、１４ａ  開口部、３０  枠材、
【図１】
2018199901.tif 000003
【図２】
2018199901.tif 000004
【図３】
2018199901.tif 000005
【図４】
2018199901.tif 000006
【図５】
2018199901.tif 000007
【図６】
2018199901.tif 000008
【図７】
2018199901.tif 000009